(57)【要約】      （修正有）【課題】溶接気体と冷却液体の交換手順をシンプル化することができ、迅速に交換作業を行うことができる交換式流体供給装置の構造を提供する。【解決手段】主に固定台１０、各種の溶接物品に対応した分離可能金型ブロック２０及び反転アーム３０で構成する交換式流体供給装置の構造であり、固定台に複数の穴を開ける。分離可能金型ブロックは固定台と対応して結合し、分離可能金型ブロックにはそれぞれ固定台の各穴と連通する複数のガイド穴２１を開ける。また、分離可能金型ブロックのサイドに一つの凸柱２３を接続する。反転アームは固定台の片側に接続し、且つ反転アームに、回転して凸柱を掛止する一つの導引溝３４を開ける。これにより迅速な交換作業が可能となる。【選択図】図２
0003204288.tif 000002
【実用新案登録請求の範囲】
【請求項１】
一つの固定台、一つの分離可能金型ブロック及び少なくとも一つの反転アームを含み、
該固定台に複数の穴を開け、
該分離可能金型ブロックは固定台と対応して結合し、該分離可能金型ブロックにそれぞれ各穴と連通する複数のガイド穴を開け、且つ該分離可能金型ブロックのサイドに一つの凸柱を接続し、及び、
該少なくとも一つの反転アームは該固定台の片側に接続し、且つ該反転アームに、回転して該凸柱を掛止する一つの導引溝を開けることを特徴とする交換式流体供給装置の構造。
【請求項２】
前記反転アームは一つのグリップ端、グリップ端から延伸する一つの接続段及び接続段から延伸する一つのフック部を含み、該導引溝は該接続段と該フック部の間に形成することを特徴とする請求項１記載の交換式流体供給装置の構造。
【請求項３】
前記導引溝は一つの円弧状を呈すことを特徴とする請求項２記載の交換式流体供給装置の構造。
【請求項４】
前記導引溝は接続段に隣接する片側に一つの昇降部を成形し、該凸柱は一つのローラーと一つのネジを含み、該ネジはローラーを通してから、分離可能金型ブロックに螺着し、該昇降部は該ローラーと対応して回転して接触することを特徴とする請求項３記載の交換式流体供給装置の構造。
【請求項５】
前記該穴の外周囲に一つの窪みを形成し、一つの密閉リングを該窪みの中に設置することを特徴とする請求項１記載の交換式流体供給装置の構造。
【請求項６】
前記該固定台に一つの定位ピンを接続し、該分離可能金型ブロックに定位ピンを套接する一つの定位穴を設けることを特徴とする請求項１記載の交換式流体供給装置の構造。
【請求項７】
前記該凸柱は一つのローラーと一つのネジを含み、該ネジはローラーを通してから、分離可能金型ブロックに螺着することを特徴とする請求項１記載の交換式流体供給装置の構造。
【請求項８】
前記反転アームの数量は二つであり、該二つの反転アームは一つの接続棒を通じて接続することを特徴とする請求項１記載の交換式流体供給装置の構造。
【請求項９】
更に複数の輸送チューブを含み、一部分の該輸送チューブの両端はそれぞれ該ガイド穴と一つの流体供給源と連通し、別の一部分の該輸送チューブの両端はそれぞれ該穴と一つの溶接器具と連通することを特徴とする請求項１記載の交換式流体供給装置の構造。
【請求項１０】
更に一つの支持スタンドを含み、該支持スタンドの一端を溶接器具の上に固定し、該支持スタンドの別端は、固定台を固定するために使うことを特徴とする請求項９記載の交換式流体供給装置の構造。
【考案の詳細な説明】
【技術分野】
【０００１】
本考案は一種の流体供給装置の構造に関し、特に交換式流体供給装置の構造に関する。
【背景技術】
【０００２】
通常二つの金属物体を結合する際、最もよく使用される結合方法は、溶接器具を用いて目的に達する。溶接器具を使って溶接を行う作業の過程において、異なる溶接パラメーターのために、作業スタッフは頻繁に各種溶接気体と冷却液体を交換する必要がある。
【０００３】
しかし、このように人工的な方法で交換作業を行うと、時間と手間がかかるほか、生産スピードが遅く、効率も悪いことを鑑みて、更なる改善が必要であった。
【先行技術文献】
【特許文献】
【０００４】
【特許文献１】特開２００２−２３４１８５号公報
【考案の概要】
【考案が解決しようとする課題】
【０００５】
前記公知構造の欠点を解決するため、本考案は交換手順をシンプル化し、迅速に交換作業を行うことができる交換式流体供給装置を提供することを主な課題とする。
【課題を解決するための手段】
【０００６】
上述の目的を解決するために、本考案は交換式流体供給装置の構造を提供するものである。一つの固定台、一つの分離可能金型ブロック及び少なくとも一つの反転アームを含み、該固定台に複数の穴を開ける。該分離可能金型ブロックは固定台と対応して結合し、該分離可能金型ブロックにそれぞれ各該穴と連通する複数のガイド穴を開ける。また、該分離可能金型ブロックのサイドに一つの凸柱を接続する。該反転アームは該固定台の片側に接続し、且つ該反転アームに、回転して該凸柱を掛止する一つの導引溝を開ける。
【０００７】
本考案は更に以下の効果を具有する。分離可能金型ブロックのモジュール化設計により、従来技術の各輸送チューブを逐一分解してから再度組み立てるという繁雑な手順を省くことができる。ローラーと反転アームの回転接触を利用すれば、手間を省く効果に達する。昇降部の設置により、反転アームが回転する際、同時に分離可能金型ブロックを上げることができ、簡単に離すことができる。
【考案の効果】
【０００８】
本考案の構造により、交換手順をシンプル化することができ、迅速に交換作業を行うことができる。
【図面の簡単な説明】
【０００９】
【図１】本考案を溶接器具に応用した組立外観図である。
【図２】本考案の交換式流体供給装置の組立略図である。
【図３】本考案の交換式流体供給装置の分解図である。
【図４】本考案の支持スタンド、輸送チューブと固定台の分解図である。
【図５】本考案の各輸送チューブ、固定台と分解可能金型の結合断面図である。
【図６】本考案の反転アームの使用状態略図(一)である。
【図７】本考案の反転アームの使用状態略図(二)である。
【考案を実施するための形態】
【００１０】
以下、本考案の構造と特徴および効果を、最良実施例と図面を参照しながら詳細に説明する。図面は説明するために参考として提供するものであり、本考案を制限するものではない。
【実施例】
【００１１】
図１から図３に示すのは、本考案の交換式流体供給装置である。一つの溶接器具７の上に応用することができるが、この種の器具に制限しない。この交換式流体供給装置１は主に一つの固定台１０、一つの分離可能金型ブロック２０及び一つの反転アーム３０を含む。
【００１２】
固定台１０は金属などの材料で作られ、大まか一つの矩形の塊本体を呈す。固定台１０の上に二列の並列する複数の穴１１を開け、且つ各一つの穴１１の外周囲に一つの窪み１２を形成する。図５に示すように、その窪み１２は一つの密閉リング１３を設置するためのものである。また、各列の穴１１の前後側にそれぞれ一つの定位ピン１４を接続する。また、固定台１０の左右両サイドにそれぞれ一つのネジ穴１５を設ける。
【００１３】
分離可能金型ブロック２０も金属などの材料で作られ、それは固定台１０と対応して結合する。分離可能金型ブロック２０に各穴１１と対応する複数のガイド穴２１を開け、また、各列のガイド穴２の前後側にそれぞれ前記定位ピン１２を挿入接続するための一つの定位穴２２を設ける。また、分離可能金型ブロック２０の左右両サイドにそれぞれ一つの凸柱２３を接続する。本実施例の凸柱２３は一つのローラー２３１と一つのネジ２３２で構成する。ネジ２３２はローラー２３１を通してから、分離可能金型ブロック２０のサイドに螺着する。
【００１４】
反転アーム３０は一本を設置することができ、本実施例のように二本設置する形態にすることもできる。この反転アーム３０が主に含むのは一つのグリップ端３１、グリップ端３１から延伸する一つの接続段３２及び接続段３２から延伸する一つのフック部３３、接続段３２とフック部３３の間に一つの導引溝３４を形成し、該導引溝３４は一つの円弧状を呈す。また、接続段３２の中間位置に一つの穴３５を開け、また導引溝３４は接続段３２に隣接する片側に一つの昇降部３６を成形する。この昇降部３６は前記ローラー２３１と対応して回転して接触する。この反転アーム３０は一つのボルト３７を穴３５に通してから、更に固定台１０のネジ穴１３の中に螺着し、それにより反転アーム３０と固定台１０を接続結合する目的に達する。本実施例の反転アーム３０は更に一つの接続棒３８を含み、該接続棒３８は一つのネジを通じて各グリップ端３１の端部の位置に連接する。
【００１５】
図４から図５に示すように、本考案の交換式流体供給装置は更に複数の輸送チューブ４０を含み、図１に示すように、上方の輸送チューブ４０の両端はそれぞれ分離可能金型ブロック２０のガイド穴２１と一つの流体供給源８と連通する。図１に示すように、下方の輸送チューブ４０の両端はそれぞれ固定台１０の穴１１と溶接器具７と連通する。流体供給源８が供給する流体は気体或いは液体とすることができ、その中、気体は溶接する際に必要なものとして提供するものであり、液体は溶接物品を冷まし、温度を下げるために提供するものである。
【００１６】
更に本考案の交換式流体供給装置は更に一つの支持スタンド５０を含み、図１に示すように、該支持スタンド５０の一端を溶接器具７の上に固定する。図４に示すように、該支持スタンド５０の別端は、固定台１０がボルトなどの部品を通じて、螺着するために用いるものである。
【００１７】
図６から図７に示すように、まず各種の異なる溶接物品が必要とする気体と液体の数量を計算した後、前記の設計パラメーターに基づき、個別に各種タイプの分離可能金型ブロック２０を製作する。更に輸送チューブ４０を通じて、分離可能金型ブロック２０のガイド穴２１と連通する。
【００１８】
結合するときは、分離可能金型ブロック２０の各定位穴２２をそれぞれ固定台１０の各定位ピン１４に套接し、各ガイド穴２１がそれぞれ各穴１１と対応して連通するようにさせる。続いて、逆時計回りに反転アーム３０のグリップ端３１を回転する。この時、反転アーム３０は該接続段３２を中心に回転し、且つ導引溝３４を以って、次第に凸柱２３に沿って套接固定する(図６に示す通り)。逆に異なる分離可能金型ブロック２０に交換する必要がある場合、時計回りに反転アーム３０のグリップ端３１を回転する。この時、反転アーム３０は該接続段３２を中心に回転し、且つ導引溝３４を以って、次第に凸柱２３に沿って離脱する。導引溝３４内に昇降部３６を設置しているため、この昇降部３６は反転アーム３０の回転に従って、分離可能金型ブロック２０を上方に押し上げる。それにより分離可能金型ブロック２０は、固定台１０の上から簡単に取り外すのに便利となる(図７に示す通り)。
【００１９】
上述のように、本考案の交換式流体供給装置は予期する使用目的に達することができる。
【符号の説明】
【００２０】
＜本考案＞
１  交換式流体供給装置
１０  固定台
１１  穴
１２  窪み
１３  密封リング
１４  定位ピン
１５  ネジ穴
２０  分離可能金型ブロック
２１  ガイド穴
２２  定位穴
２３  凸柱
２３１  ローラー
２３２  ネジ
３０  反転アーム
３１  グリップ段
３２  接続段
３３  フック部
３４  導引溝
３５  穴
３６  昇降部
３７  ボルト
３８  接続棒
４０  輸送チューブ
５０  支持スタンド
７  溶接器具
８  流体供給源
【図１】
0003204288.tif 000003
【図２】
0003204288.tif 000004
【図３】
0003204288.tif 000005
【図４】
0003204288.tif 000006
【図５】
0003204288.tif 000007
【図６】
0003204288.tif 000008
【図７】
0003204288.tif 000009